(57)【要約】【課題】  探知作業にかかるコストと探知装置の能力とのトレードオフを勘案して、目的の探知作業に対して最も適した探知装置を選択する方法を提供する。【解決手段】  本発明は、任意に指定した探知費用以下で最大の探知効用をもたらす探知装置の組合せを求める処理、得られた組合せとそれに対する探知費用と探知効用を出力する処理、得られた組合せ中の全探知用装置を探知域に配備する指示を発する処理、および、処理結果を保存し、かつ、再出力できる処理を有する。【選択図】 図１
2006004209.tif 000002
【特許請求の範囲】
【請求項１】
不可視の移動体を数台の探知装置を用いて探知する状況において、各所に滞在中、あるいは、各所を移動中の探知装置の中から、指定台数の探知装置を不可視の移動体が存在する探知域に配備するための配備システムにおいて、
探知装置の位置、探知費用、探知性能の情報を時系列で管理する処理部と、
任意に指定した探知費用以下で最大の探知効用をもたらす探知用移動体の組合せを求める処理部と、
得られた組合せとそれに対する探知費用と探知効用を出力する処理部と、
得られた組合せ中の全探知用移動体を探知域に配備する指示を発する処理部と、
処理結果を保存し、かつ、再出力部処理部とを有することを特徴とする配備システム。
【請求項２】
請求項１の配備システムにおいて、
各所に滞在中、あるいは、各所を移動中の探知装置の中から、選択対象とする探知装置を、オペレータから受け付ける処理部を有することを特徴とする配備システム。
【請求項３】
請求項１の配備システムにおいて、
探知費用として与えられた探知費用項目の中から任意項目を指定を、オペレータから受け付ける処理部を有することを特徴とする配備システム。
【請求項４】
請求項１の配備システムにおいて、
探知効果として与えられた探知効果項目の中から任意項目を指定を、オペレータから受け付ける処理部を有することを特徴とする配備システム。
【請求項５】
請求項１の配備システムにおいて、
オペレータの指示に応じて、得られた探知装置の組合せから任意のものを選び、それを取り除いて、あるいは、組合せ外の探知装置と交換して探知費用と探知効果を再計算する処理部と、
得られた探知用移動体の組合せにそれ以外の探知移動体を加えて探知費用と探知効果を再計算する処理部とを有することを特徴とする配備システム。
【請求項６】
請求項１の配備システムにおいて、
得られた探知装置の組合せに対応させて、実際の探知評価も合わせて保存し、かつ、再出力する処理部を有することを特徴とする配備システム。
【請求項７】
請求項１の配備システムにおいて、
得られた探知用移動体の組合せに加えて、それに類似する保存下の探知装置の組合せとその探知評価を再出力する処理部を有することを特徴とする配備システム。
【発明の詳細な説明】
【技術分野】
【０００１】
本発明は、科学、産業、防衛の分野における、不可視の移動体を探知する測定装置の配備に関する。
【背景技術】
【０００２】
不可視の移動体を探知する装置は特殊であるため、利用者は少数の用途に見合う性能の装置だけを保有するのが一般的であり、装置が高価でもあるため、用途別にさまざまな性能の装置を保有するほど、利用者には経済的な余裕がなかった。また、見えないだけに不可視の移動体を探知する要求はかなり強く、探知作業にかかるコストへの意識が利用者には薄かった。その結果、探知作業にかかるコストと探知装置の性能のトレードオフを勘案した上で探知装置を選択して配備することはまれで、保有する探知装置を単に持ち出して探知作業を行うか、コストを省みず高性能な探知装置を選び出して探知作業を行うことが普通であった。配備という観点からは、（特許文献１）や（特許文献２）などの発明が挙げられるが、これらは、乗車客や貨物用に車両を配備する際に待ち時間のばらつきを小さくすることに焦点を当てており、運搬にかかるコストや車両の運搬性能に着目したものではない。近年、探知装置の低価格化が進み、利用者がさまざまな目的に対して探知装置を揃える経済的な負担が減ってきた。そのため、目的の探知作業に最適な探知装置を数ある品揃えから選択することが可能になりつつある。さらに、近年、長期に渡る景気の低迷から利用者にコスト重視の傾向も現われてきた。その結果、コストパフォーマンスを考慮した探知装置の選択方法が注目されてきている。
【０００３】
【特許文献１】特開2000-30195号公報
【特許文献２】特開平11-85279号公報
【発明の開示】
【発明が解決しようとする課題】
【０００４】
探知作業にかかるコストと探知装置の能力とのトレードオフを勘案して、目的の探知作業に対して最も適した探知装置を選択する方法を提供する。
【課題を解決するための手段】
【０００５】
上記の課題を解決するため、以下の手段を前提とする。
（１）不可視の移動体を数台の探知装置を用いて探知する状況において、各所に滞在中、あるいは、各所を移動中の探知装置の中から、指定台数の探知装置を不可視の移動体が存在する探知域に配備し、かつ、探知する際の手段として、探知装置の位置、探知費用、探知性能の情報を時系列で管理する手段、任意に指定した探知費用以下で最大の探知効用をもたらす探知用移動体の組合せを求める手段、得られた組合せとそれに対する探知費用と探知効用を出力する手段、得られた組合せ中の全探知用移動体を探知域に配備する指示を発する手段、および、処理結果を保存し、かつ、再出力できる手段を有することを特徴とする。
（２）上記の（１）の配備システムは、そのオペレータが、各所に滞在中、あるいは、各所を移動中の探知用移動体の中から、選択対象とする探知用移動体をあらかじめ任意に限定できる手段を有することを特徴とする。
（３）上記の（１）の配備システムは、そのオペレータが、探知費用として与えられた探知費用項目の中から任意項目を指定できる手段を有することを特徴とする。
（４）上記の（１）の配備システムは、そのオペレータが、探知効果として与えられた探知効果項目の中から任意項目を指定できる手段を有することを特徴とする。
（５）上記の（１）の配備システムは、そのオペレータが、得られた探知用移動体の組合せから任意のものを選び、それを取り除いて、あるいは、組合せ外の探知移動体と交換して探知費用と探知効果を再計算させられる手段、および、得られた探知用移動体の組合せにそれ以外の探知移動体を加えて探知費用と探知効果を再計算させられる手段を有することを特徴とする。
（６）上記の（１）の配備システムは、得られた探知用移動体の組合せに対応させて、実際の探知評価も合わせて保存し、かつ、再出力できる手段を有することを特徴とする。
（７）上記の（１）の配備システムは、得られた探知用移動体の組合せに加えて、それに類似する保存下の探知移動体の組合せとその探知評価を再出力できる手段を有することを特徴とする。
【発明の効果】
【０００６】
予算上対応可能な探知経費内で、最大の探知効果を発揮する探知装置の組み合せを求めること、限られた探知作業の人員数以下で、最も探知効果を高くできる探知装置の組み合せを求めること、あるいは、探知域までの移動時間が制限されている際に、最大の探知効果を発揮できる探知装置群をその時間内で探知域に配備することなどが可能になる。
【発明を実施するための最良の形態】
【０００７】
本発明は、予算上対応可能な探知経費内で、最大の探知効果を発揮する探知装置の組み合せを求めたり、限られた探知作業の人員数以下で、最も探知効果を高くできる探知装置の組み合せを求めたり、あるいは、探知域までの移動時間が制限されている際に、最大の探知効果を発揮できる探知装置群をその時間内で探知域に配備したりなど、さまざまな状況を単一のシステムで系統的に扱える特徴がある。上記は、経費、人員数、移動時間などをそれぞれ「探知費用」の対象にした例であるが、これらの要素を組み合わせた総合的な探知費用も対象にすることもが可能である。同様に、探知感度、機動性、静粛度などの探知装置の性能を「探知効用」として、個々に、あるいは、統合して扱うこともできる。したがって、探知作業のコストパフォーマンスに関して、本発明はかなり広範囲の要求を単一システムで処理できると言える。
【０００８】
本発明は、要するに、「さまざまな探知性能の探知装置の中から、所定の探知費用以下という制限の下で、最も探知効用を大きくする探知装置の組み合せを求める方法」を提供するものである。そのため、各探知装置の探知費用や探知性能は既知であるとする。また、本発明は、探知装置の位置が時々刻々と変わっても、即時に最適な探知装置の組み合せを算出することも目的とするので、探知装置は自力移動可能、あるいは、運搬用移動体により移動可能であるとを前提とし、各探知装置が所定範囲中のどこに保管されているか、あるいは、どこを移動中であるかといった時刻毎の位置情報も既知とする。つまり、探知装置の情報は別システムで常に管理されていると想定している。
【０００９】
上記の処理には準備が必要である。各探知装置には、さまざなコスト項目と性能項目からそれぞれ探知費用と探知効用を数値化して与えておく。そして、複数の探知装置を使用する探知作業の探知費用や探知効用は、各探知装置の探知費用や探知効用の和で表すものとする。数値化にはあらかじめ各探知装置の各コスト項目と性能項目を点数化しておき、その和で探知費用や探知効用を与える方法を始め、各種の方法が考えられる。本発明では、数値化の方法については特に限定しない。
【００１０】
このようなコストパフォーマンス最大化の問題に対する最も単純な解法は、あらゆる探知装置の組み合せから所定の探知費用上限値以下で探知効用が最大となるものを選び出す、数え上げの方法である。しかし、この方法は、探知装置の数の増大につれて組み合せ数が爆発的に増えるので、探知装置の数が少ない場合のみに有効である。このような問題への一般的な解法の一例として動的計画法がある。その中でもいわゆる「ナップザックの問題」の解法が本件にふさわしい。これは、いろいろな大きさ・値段の品物を、限られた容積のナップザックに詰めるのだが、そのとき、値段合計が最大になる品物の組み合せを求める解法である。品物の大きさを探知費用、品物の値段を探知効用と捕らえれば、本件とナップザックの問題が同質であることが理解できよう。しかしながら、本発明は、特定の解法に依存するものではない。そこで、ナップザックの問題は理解のための手段としてその名を挙げるだけに留める。実施例では公知の解法を利用するとして、その具体的な記述は省略する。
【００１１】
さて、ここから本発明の詳細について順次説明をする。初めに、図１を用いて本発明の概要を説明し、その後、処理内容の詳細に関して図２〜図９を用いて説明する。
【００１２】
図１に本発明で使用するシステム構成の一例を示す。配備担当者端末101からコンピュータネットワーク103を介して、管理サーバ104でさまざまな情報処理を行い、得られた最適な探知装置の組み合せをやはりコンピュータネットワーク103を介して、装置管理者端末102に送信する、というのがシステム構成の骨組みである。
【００１３】
配備担当者端末101は、探知装置の配備計画を行うためのコンピュータで、計算処理、画面表示処理、データ入出力処理、データ保存処理などの機能を有する。配備担当者端末101は、コンピュータネットワーク103により、管理サーバ104と情報交換を行える。装置管理者端末102は、配備担当者端末101と同様にコンピュータである。ただし、これは、受け取った最適な探知装置の組み合せに基づいて、実際の移動指令を発する端末である。
【００１４】
管理サーバ104は計算処理、画面表示処理、データ入出力処理、データ保存処理などの機能を有するコンピュータである。その内部の管理部105は、サーバ内の計算やデータ交換、および、コンピュータネットワーク103を介して配備担当者端末101や装置管理者端末102とのデータ交換を実行する。管理部にはデータベースとして、リソースデータベース106と配備事例データベース107が接続され、処理ルーチンとして、各種条件の設定処理108、最適リソースの算出処理109、最適リソースの修正処理110、配備事例の表示処理111、類似配備事例の表示処理112、評価結果の入力処理113が連携している。
【００１５】
リソースデータベース106は探知装置の所在地、探知費用、探知性能など、本発明に使用する基本データを格納しており、その所在地は時々刻々と更新される。配備事例データベース107は、過去の探知作業に利用した探知装置の組み合せ、その探知結果の評価などが保存されている。得られた探知装置の組み合せはこのデータベースに保存される。なお、新規に探知装置の組み合せを求める際に、ここに格納されている事例を参考例として参照すること、あるいは、再利用することも可能である。
【００１６】
各種条件の設定処理108は、リソースデータベース106とリンクして最適な探知装置の組み合せを求めるための条件設定を制御するルーチン、最適リソースの算出処理109は、最適な探知装置の組み合せを求めるルーチン、最適リソースの修正処理110は、得られた組み合せに修正を加える処理を制御するルーチン、配備事例の表示処理111は、配備事例データベース107とリンクして過去の配備事例を表示するルーチン、類似配備事例の表示処理112は、最適リソースの算出処理109により得られた探知装置の組み合せと類似する事例を配備事例データベース107から探索して表示するルーチン、そして、評価結果の入力処理113は、本発明で得られた探知装置の組み合せを使って探知作業をした結果の評価を配備事例データベース107に格納するルーチンである。これらについては、後に図４と図５の処理フローチャートの説明に沿ってその詳細を述べる。
【００１７】
図２と図３にそれぞれリソースデータベース106と配備事例データベース107の構成例を示す。どちらも表形式で情報が管理される。リソースデータベース106は、最新情報に基づいて逐次更新されていくが、更新時の時刻は現在の年月日時刻201に示される。探知装置は装置名202、管理番号203で識別され、その属性として、現在地204、コスト全項目205、性能全項目206が記録される。配備事例データベース107は、いつ、どこで、どの装置が、何の目的で探知作業に使用されたかが、時期301、場所302、使用装置303、目的304の各欄に記録され、その際に着目したコスト項目305、性能項目306と、コスト上限307、コスト308、効用309の各数値も記録される。さらに、評価310にはその探知作業の評価も記録される。
【００１８】
図４と図５に本発明の処理フローチャートの一例を示す。図４は配備事例をベースにして探知装置の組み合せを求める処理のフローチャート例であり、図５は新規に探知装置の組み合せを求め、必要があれば配備事例を参考にして、求めた結果を修正する処理のフローチャート例である。その詳細をステップ毎に述べるが、ステップ内で実行される内容は、適宜、図６〜図９を用いて説明する。なお、処理開始時には配備担当者端末101の本処理に関する変数は初期化されているものとする。
【００１９】
まず、図４について説明する。配備担当者端末101から本システムを起動すると、配備担当者端末101に図６のような地図表示の画面601のウインドが表示される。配備担当者は、探知域のある領域を表示させ、そこに探知装置を集合させる場所として、探知点602をマウスカーソル603などのポインティングデバイスで指定する。ここで、探知点602として緯度、経度を座標として表示してもよい。探知点602を指定するとリソースリストの画面604が別ウインドとして表示される。配備担当者端末101の画面上では、この状態を起点として本発明の処理が進行する。
【００２０】
リソースリストの画面603は、図２のリソースデータベース構成の例と類似の表形式である。ただし、リソース限定の欄605があり、配備対象とする探知装置を指定することができる。「レ」のマークを付ければ、それを配備対象とし、そのマークを取れば、その装置を配備対象からはずすことになる。デフォルトでは全探知装置が配備対象になっている。この操作は、マウスカーソルで自在に行えるものとする。また、図７に示すように、コスト項目や性能項目は選択式で指定できる。項目選択のマーク701を付ける操作方法は上記と同様である。
【００２１】
なお、実施例で現われる画面上のウインドは、それを消去する機能として「閉じる」操作が備わっているものとする。
[ステップ401] 事例表示の判定
配備担当者端末101から配備事例を表示する指示を管理部105が受けた場合、[ステップ402]に進み、表示しないとする指示を受けた場合、[ステップ501]に進む。図８でこの過程を説明する。リソースリストの画面801上で、配備事例表示のボタン802をマウスカーソルでクリックすると配備事例を表示する指示を発せられる。
[ステップ402] 事例の表示
管理部105は、配備事例データベース107から情報を読み込み、配備担当者端末101に表示する。図８にその表示例を示す。リソースリストの画面801とは別のウインドに配備事例リストの画面803が表示される。これは、図３の配備事例データベース構成の例と類似の表形式である。
[ステップ403] 評価記録の判定
配備担当者端末101から探知作業の評価を記録する指示を管理部105が受けた場合、次のステップに進み、記録しないとする指示を受けた場合、[ステップ405]に進む。図８でこの過程を説明する。評価入力のボタン812をクリックすると、管理部105に評価の記入がない事例について評価入力を可能にせよとの指示が送られ、その評価の欄の色が変化する。評価には、数値、文、あるいは、あらかじめ決められたレベルなどを、選択式や書込み式で入力できるものとする。
[ステップ404] 評価の保存
管理部105は、配備担当端末101から指定された配備事例の評価を配備事例データベース107に保存する。図８でこの過程を説明する。決定のボタン814をクリックすると評価が配備事例データベース107に保存される。
[ステップ405] 事例限定の判定
配備担当者端末101から配備事例を限定する指示を管理部105が受けた場合、次のステップに進み、表示しないとする指示を受けた場合、[ステップ407]に進む。図８でこの過程を説明する。絞込み設定のボタン804をマウスカーソルでクリックすると、絞込み設定の画面805が別ウインドとして表示される。ここで、探知作業の時期や場所をある期間や範囲に絞ったり、目的を絞ったり、コスト項目や性能項目を限定したり、コストや効用の範囲を限定したり、あるいは、評価が数値化されているなら、その範囲を限定したりする条件を設定できる。これらは、すべて配備担当者端末101で指定することが可能であるとする。設定後、絞込み適用のボタン806をクリックすると、配備事例を限定する指示が管理部105に発せられる。
[ステップ406] 事例の限定表示
管理部105は、配備担当者端末101から受けた指示に基づき、配備事例を絞り込んで配備担当者端末101に表示する。
[ステップ407] 事例の選択
管理部105は、処理対象を配備担当端末101から指定された配備事例に処理対象を限定する。図８でこの過程を説明する。マウスカーソルのクリックで、選択事例807の印として、事例選択の欄に「レ」マークを付けるとその事例が処理対象であると管理部105に発せられる。その際、図８に示すように、コスト項目の欄808、性能項目の欄809、コストの欄810、効用の欄811の色が変化し、管理部105に認識されたことが目視確認できる。
[ステップ408] 事例修正の判定
配備担当者端末101から配備事例の内容を修正する指示を管理部105が受けた場合、次のステップに進み、修正しないとする指示を受けた場合、[ステップ412]に進む。
[ステップ409] 事例の修正
管理部105は、配備担当者端末101から受けた指示に基づき、コスト項目や性能項目の内容を変更する。図８でこの過程を説明する。コスト項目の欄808、性能項目の欄809は、図７のようにどの項目に着目したか選択式で指定するものとする。配備担当者端末101でマウスカーソルによりマークの付け替えを行うとコスト項目や性能項目の内容変更が管理部105に送られる。
[ステップ410] コスト・効用の再計算
管理部105は、配備担当者端末101から受けた修正指示に基づき、コスト・効用の値を再計算し、その結果を配備担当者端末101に再表示する。図８でこの過程を説明する。コスト・効用再計算のボタン814をマウスカーソルでクリックすると再計算が実行され、計算結果は、図８のコストの欄810と効用の欄811にそれぞれ表示される。ここでは、修正後のコスト項目と性能項目から各探知装置の探知費用と探知効用を再度数値化し、それらの和をもってコストと効用の値とする。数値化にはあらかじめ各探知装置の各項目を点数化しておき、その和で探知費用や探知効用を与える方法を始め、各種の方法が考えられる。
[ステップ411] 事例再修正の判定
配備担当者端末101から配備事例を再修正する指示を管理部105が受けた場合、次のステップに進み、再修正しないとする指示を受けた場合、[ステップ412]に進む。図８でこの過程を説明する。コスト項目の欄808、性能項目の欄809のマークを付け替えることにより、再修正の指示が管理部105に発せられる。
[ステップ412] 再利用の判定
配備担当者端末101から画面上に得られている結果を探知作業に利用する指示を管理部105が受けた場合、次のステップに進み、探知作業に利用しないとする指示を受けた場合、[ステップ401]に進む。図８において決定ボタン814をマウスカーソルでクリックすると再利用の指示が管理部105に発せられる。図８において、リソースリスト画面801や配備事例リストの画面803を閉じたり、図６において、新たに探知点602を指定すると、再利用しない指示が管理部105に発せられる。
[ステップ413] 事例再限定の判定
配備担当者端末101から配備事例を再限定する指示を管理部105が受けた場合、[ステップ404]に進み、再限定しないとする指示を受けた場合、[ステップ409]に進む。図８でこの過程を説明する。絞込み適用のボタン806をマウスカーソルでクリックすると配備事例を再限定する指示が管理部105に発せられる。
[ステップ414] 結果の保存
管理部105は、配備担当者端末101から最後に受けた修正指示に基づき、結果を配備事例データベース107に保存する。図８でこの過程を説明する。決定ボタン811をマウスカーソルでクリックすると結果を配備事例データベース107に保存する指示が管理部105に発せられる。
[ステップ415] 配備指令の送信
管理部105は、配備担当者端末101から受けた修正指示に基づき、結果を装置管理者端末102に送信する。図８でこの過程を説明する。決定ボタン811をマウスカーソルでクリックすると結果を装置管理者端末102に送信する指示が管理部105に発せられる。
[ステップ416] 他の配備処理実行の判定
配備担当者端末101から他の配備計画を実行する指示を管理部105が受けた場合、[ステップ401]に進み、実行しないとする指示を受けた場合、処理を終了する。図６でこの過程を説明する。新たに探知点602を指定すると、他の配備計画を実行する指示が管理部105に発せられる。
【００２２】
次に、図５について説明する。
[ステップ501] リソース限定の判定
配備担当者端末101から探知装置を限定する指示を管理部105が受けた場合、[ステップ502]に進み、表示しないとする指示を受けた場合、次のステップに進む。図９でこの過程を説明する。リソースリストの画面901内で限定の欄902は、デフォルトではどの探知装置にもマークが付いているが、ここで「レ」のマークをつけることで対象とする探知装置を限定する指示を発せられる。あるいは、リソースリストの画面901内で絞込み条件設定のボタン903をクリックして、絞込み条件設定の画面904を表示させ、そこに絞込み条件を入力すると探知装置を限定する指示を発することもできる。ここで、絞込み条件として、例えば、特定の文字を含む装置名に限定する、ある範囲に存在する探知装置に限定するなどと設定する。その後、絞込み条件適用のボタン905をクリックして探知装置を限定する指示が発せられる。このとき、リソースリストの画面901内に限定された印として「レ」が限定の欄902に表示されるので目視確認が可能である。
[ステップ502] 限定範囲の指定
管理部105は、配備担当者端末101から受けた指示に基づき、最適リソースの算出の対象とする探知装置を限定する。
[ステップ503] コスト項目の指定
配備担当者端末101から指定されたコスト項目の情報を管理部105へ送る。図９のリソースリストの画面901内でコスト項目で指定をするが、この過程は、ステップ409と同様である。
[ステップ504] 性能項目の指定
配備担当者端末101から指定された性能項目の情報を管理部105へ送る。図９のリソースリストの画面901内でコスト項目で指定をするが、この過程は、ステップ409と同様である。
[ステップ505] コスト上限の設定
配備担当者端末101から設定されたコスト上限の情報を管理部105へ送る。図９でこの過程を説明する。まず、リソースリストの画面901で最適プロセス開始のボタン906をクリックする。最適リソース組み合せの画面907が別ウインドとして表示されるので、そこのコスト上限908で上限値を入力するとコスト上限の情報が発せられる。
[ステップ506] 最適リソースの算出
管理部105は、最適リソースの算出の対象とする探知装置、コスト項目、性能項目、および、与えられたコスト上限に基づき、探知コストと探知効用を計算して、探知効用が最大になる探知装置の組み合せを台数別に求める。図９でこの過程を説明する。最適化計算のボタン909をクリックすると最適リソース算出の処理が開始され、結果が最適リソース組み合せの画面907に表示される。
[ステップ507] 類似事例表示の判定
配備担当者端末101から最適リソースの算出結果と類似する配備事例を表示する指示を管理部105が受けた場合、次のステップに進み、表示しないとする指示を受けた場合、[ステップ509]に進む。図８でこの過程を説明する。まず、図８のリソースリストの画面801で、配備事例表示のボタン802をクリックし、配備事例リストの画面803を表示させる。ここの類似事例表示のボタン815をクリックすると、最適リソースの算出結果と類似する配備事例を表示する指示が発せられる。
[ステップ508] 類似事例の表示
管理部105は、配備担当者端末101から受けた表示指示に基づき、類似配備事例を配備担当者端末101に表示する。図８でこの過程を説明する。類似事例表示のボタン815のクリック操作で、配備事例リストの画面803が現われた時点の配備事例リストが、類似する配備事例リストに入れ替わる。ここでは、最適リソースの算出結果を対象として、あらかじめ設定された比較項目と等しい、あるいは、近い配備事例が配備事例リストの画面803に表示される。比較項目の候補として、探知場所、コスト項目や性能項目、コストや効用、評価などがある。
[ステップ509] 事例の選択
管理部105は、処理対象を配備担当端末101から指定された最適リソースの計算結果、あるいは、配備事例に処理対象を限定する。この過程は、ステップ407と同様である。ただし、配備事例リストの画面803の配備事例ばかりでなく、最適リソース組み合せの画面907で最適リソースの結果に対しても実施する点が異なる。
[ステップ510] 修正の判定
配備担当者端末101から最適リソースの計算結果、あるいは、配備事例の内容を修正する指示を管理部105が受けた場合、次のステップに進み、修正しないとする指示を受けた場合、[ステップ514]に進む。この過程は、ステップ408と同様である。ただし、配備事例リストの画面803の配備事例ばかりでなく、最適リソース組み合せの画面907で最適リソースの結果に対しても実施する点が異なる。
[ステップ511] 修正
管理部105は、配備担当者端末101から受けた指示に基づき、最適リソースの計算結果、あるいは、配備事例のコスト項目や性能項目の内容を変更する。この過程は、ステップ409と同様である。ただし、配備事例リストの画面803の配備事例ばかりでなく、最適リソース組み合せの画面907で最適リソースの結果に対しても実施する点が異なる。
[ステップ512] コスト・効用の再計算
管理部105は、配備担当者端末101から受けた修正指示に基づき、最適リソースの計算結果、あるいは、配備事例のコスト・効用の値を再計算し、その結果を配備担当者端末101に再表示する。この過程は、ステップ410と同様である。ただし、配備事例リストの画面803の配備事例ばかりでなく、最適リソース組み合せの画面907で最適リソースの結果に対しても実施する点が異なる。
[ステップ513] 再修正の判定
配備担当者端末101から最適リソースの計算結果、あるいは、配備事例の内容を再修正する指示を管理部105が受けた場合、[ステップ511]に進み、再修正しないとする指示を受けた場合、次のステップに進む。この過程は、ステップ411と同様である。ただし、配備事例リストの画面803の配備事例ばかりでなく、最適リソース組み合せの画面907で最適リソースの結果に対しても実施する点が異なる。
[ステップ514] 利用の判定
配備担当者端末101から画面上に得られている結果を探知作業に利用する指示を管理部105が受けた場合、[ステップ515]に進み、探知作業に利用しないとする指示を受けた場合、[ステップ401]に進む。この過程は、ステップ412と同様である。ただし、配備事例リストの画面803の配備事例ばかりでなく、最適リソース組み合せの画面907で最適リソースの結果に対しても実施する点が異なる。
[ステップ515] 結果の保存
管理部105は、配備担当者端末101から最後に受けた修正指示に基づき、結果を配備事例データベース107に保存する。この過程は、ステップ414と同様である。ただし、配備事例リストの画面803の配備事例ばかりでなく、最適リソース組み合せの画面907で最適リソースの結果に対しても実施する点が異なる。
[ステップ516] 配備指令の送信
管理部105は、配備担当者端末101から最後に受けた修正指示に基づき、結果を装置管理者端末102に送信する。この過程は、ステップ415と同様である。ただし、配備事例リストの画面803の配備事例ばかりでなく、最適リソース組み合せの画面907で最適リソースの結果に対しても実施する点が異なる。
[ステップ517] 他の配備処理実行の判定
配備担当者端末101から他の配備計画を実行する指示を管理部105が受けた場合、[ステップ401]に進み、実行しないとする指示を受けた場合、処理を終了する。この過程は、ステップ416と同様である。ただし、配備事例リストの画面803の配備事例ばかりでなく、最適リソース組み合せの画面907で最適リソースの結果に対しても実施する点が異なる。
【図面の簡単な説明】
【００２３】
【図１】システム構成の例
【図２】リソースデータベース構成の例
【図３】配備事例データベース構成の例
【図４】事例利用時の処理フローチャート例
【図５】新規選択時の処理フローチャート例
【図６】処理開始時のインターフェイス例
【図７】項目選択のインターフェイス例
【図８】事例利用時の処理のインターフェイス例
【図９】新規選択時の処理のインターフェイス例
【符号の説明】
【００２４】
１０１：配備担当者端末
１０２：装置管理者端末
１０３：ネットワーク
１０４：管理サーバ
１０５：管理部
１０６：リソースデータベース
１０７：配備事例データベース
１０８：各種条件の設定処理
１０９：最適リソースの算出処理
１１０：最適リソースの修正処理
１１１：配備事例の表示処理
１１２：類似配備事例の算出処理
１１３：評価結果の入力処理
２０１：現在の年月日時刻
２０２：装置名
２０３：管理番号
２０４：現在地
２０５：コスト全項目
２０６：性能全項目
３０１：時期
３０２：場所
３０３：使用装置
３０４：目的
３０５：コスト項目
３０６：性能項目
３０７：コスト上限
３０８：コスト
３０９：効用
３１０：評価
４０１：事例表示の判定
４０２：事例の表示
４０３：評価記録の判定
４０４：評価の保存
４０５：事例限定の判定
４０６：事例の限定表示
４０７：事例の選択
４０８：事例修正の判定
４０９：事例の修正
４１０：コスト・効用の再計算
４１１：事例再修正の判定
４１２：再利用の判定
４１３：事例再限定の判定
４１４：結果の保存
４１５：配備指令の送信
４１６：他の配備処理実行の判定
５０１：リソース限定の判定
５０２：限定範囲の指定
５０３：コスト項目の指定
５０４：性能項目の指定
５０５：コスト上限の設定
５０６：最適リソースの算出
５０７：類似事例表示の判定
５０８：類似事例の表示
５０９：事例の選択
５１０：修正の判定
５１１：修正
５１２：コスト・効用の再計算
５１３：再修正の判定
５１４：利用の判定
５１５：結果の保存
５１６：配備指令の送信
５１７：他の配備処理実行の判定
６０１：地図表示の画面
６０２：探知点
６０３：マウスカーソル
６０４：リソースリストの画面
６０５：リソース限定の欄
７０１：項目選択のマーク
８０１：リソースリストの画面
８０２：配備事例表示のボタン
８０３：配備事例リストの画面
８０４：絞込み条件設定のボタン
８０５：絞込み条件設定の画面
８０６：絞込み条件適用のボタン
８０７：選択事例
８０８：コスト項目の欄
８０９：性能項目の欄
８１０：コストの欄
８１１：効用の欄
８１２：評価入力のボタン
８１３：コスト・効用再計算のボタン
８１４：決定のボタン
８１５：類似事例表示のボタン
９０１：リソースリストの画面
９０２：限定の欄
９０３：絞込み条件設定のボタン
９０４：絞込み条件設定の画面
９０５：絞込み条件適用のボタン
９０６：最適プロセス開始のボタン
９０７：最適リソース組み合せの画面
９０８：コスト上限
９０９：最適化計算のボタン
９１０：台数の欄
９１１：最終結果の選択
９１２：最終結果決定のボタン
【図１】
2006004209.tif 000003
【図２】
2006004209.tif 000004
【図３】
2006004209.tif 000005
【図４】
2006004209.tif 000006
【図５】
2006004209.tif 000007
【図６】
2006004209.tif 000008
【図７】
2006004209.tif 000009
【図８】
2006004209.tif 000010
【図９】
2006004209.tif 000011